(57)【要約】【課題】ＵＳＢポートを備えた新規な構成の画像形成装置を提供する。【解決手段】画像形成装置１は、排出トレイ６が上面に設けられ、画像形成部を収容する第１筐体２と、第１筐体２の上方に設けられ、画像読取部を収容する第２筐体３と、第１筐体２の上面に第２筐体３を持ち上げて支持するように設けられ、排出トレイ６に排出されたシートを取り出すための開口部４４の一部を形成する脚部４と、第２筐体３において排出ローラ２８よりもシート排出方向下流側に設けられる操作パネル５と、外部のＵＳＢ機器を差し込み可能なＵＳＢポート８１と、を備え、ＵＳＢポート８１は、排出トレイ６より上方であって、平面視したときに排出トレイ６と重なる位置に配置されるとともに、差し込まれたＵＳＢ機器の少なくとも一部が操作パネル５のシート排出方向下流側端部と第２筐体３のシート排出方向下流側端部との間に位置するように配置される。【選択図】図１
2020138475.tif 000002
【特許請求の範囲】
【請求項１】
排出ローラによって排出されたシートを支持する排出トレイが上面に設けられ、シートに画像を形成する画像形成部を収容する第１筐体と、
前記第１筐体の上方に設けられ、原稿の画像を読み取る画像読取部を収容する第２筐体と、
前記第１筐体の上面に前記第２筐体を持ち上げて支持するように設けられ、前記排出トレイに排出されたシートを取り出すための開口部の一部を形成する脚部と、
前記第２筐体において前記排出ローラよりもシート排出方向下流側に設けられ、前記画像形成部及び前記画像読取部を操作するための操作パネルと、
外部のＵＳＢ機器を差し込み可能なＵＳＢポートと、を備え、
前記ＵＳＢポートは、前記排出トレイより上方であって、平面視したときに前記排出トレイと重なる位置に配置されるとともに、差し込まれた前記ＵＳＢ機器の少なくとも一部が前記操作パネルのシート排出方向下流側端部と前記第２筐体のシート排出方向下流側端部との間に位置するように配置されることを特徴とする画像形成装置。
【請求項２】
前記ＵＳＢポートは、正面視したときに前記第２筐体と重なる位置に配置されることを特徴とする請求項１に記載の画像形成装置。
【請求項３】
前記ＵＳＢポートは、前記第２筐体のシート排出方向下流側端面に設けられることを特徴とする請求項１又は請求項２に記載の画像形成装置。
【請求項４】
前記ＵＳＢポートは、前記操作パネルに設けられることを特徴とする請求項１又は請求項２に記載の画像形成装置。
【請求項５】
前記ＵＳＢポートは、前記操作パネルにおけるシート排出方向と直交する幅方向の側面に設けられることを特徴とする請求項４に記載の画像形成装置。
【請求項６】
前記ＵＳＢポートよりもシート排出方向下流側に、近距離無線通信を行う外部機器を載置する位置を示すマークが設けられることを特徴とする請求項１から請求項５の何れか一項に記載の画像形成装置。
【請求項７】
前記マークは、シート排出方向と直交する幅方向において前記ＵＳＢポートと同じ側に配置されることを特徴とする請求項６に記載の画像形成装置。
【請求項８】
前記近距離無線通信のための基板が、前記マークと対向する位置に設けられることを特徴とする請求項６又は請求項７に記載の画像形成装置。
【発明の詳細な説明】
【技術分野】
【０００１】
本発明は、画像形成装置に関する。
【背景技術】
【０００２】
従来からＵＳＢ（Ｕｎｉｖｅｒｓａｌ  Ｓｅｒｉａｌ  Ｂｕｓ）ポートを備えた画像形成装置が知られている。例えば特許文献１には、回動可能なＵＳＢポートを備えた画像形成装置が開示されている。この構成によれば、ＵＳＢポートに差し込んだＵＳＢメモリなどのＵＳＢ機器にユーザが当たるなどして衝撃が加わった場合であってもＵＳＢポートが回動してＵＳＢポートの損傷が抑制される。
【先行技術文献】
【特許文献】
【０００３】
【特許文献１】特開２００７−２８６３９５号公報
【発明の概要】
【発明が解決しようとする課題】
【０００４】
特許文献１の構成よれば、ＵＳＢポートは破損しにくくなるが、一方でＵＳＢポートにＵＳＢ機器を差しこむときにはＵＳＢポートが動いてしまい、操作性が低下する可能性があり、新規な構成の画像形成装置が求められている。
【０００５】
本発明は、ＵＳＢポートを備えた新規な構成の画像形成装置を提供することを目的とする。
【課題を解決するための手段】
【０００６】
本発明の画像形成装置（１）は、排出ローラ（２８）によって排出されたシートを支持する排出トレイ（６）が上面に設けられ、シートに画像を形成する画像形成部を収容する第１筐体（２）と、前記第１筐体２の上方に設けられ、原稿の画像を読み取る画像読取部を収容する第２筐体（３）と、前記第１筐体（２）の上面に前記第２筐体（３）を持ち上げて支持するように設けられ、前記排出トレイ（６）に排出されたシートを取り出すための開口部（４４）の一部を形成する脚部（４）と、前記第２筐体（３）において前記排出ローラ（２８）よりもシート排出方向下流側に設けられ、前記画像形成部及び前記画像読取部を操作するための操作パネル（５）と、外部のＵＳＢ機器を差し込み可能なＵＳＢポート（８１）と、を備え、前記ＵＳＢポート（８１）は、前記排出トレイ（６）より上方であって、平面視したときに前記排出トレイ（６）と重なる位置に配置されるとともに、差し込まれた前記ＵＳＢ機器の少なくとも一部が前記操作パネル（５）のシート排出方向下流側端部と前記第２筐体（３）のシート排出方向下流側端部との間に位置するように配置される。
【発明の効果】
【０００７】
本発明によれば、ＵＳＢポートが排出トレイと重なる位置に配置されることにより、ＵＳＢポートに差し込まれたＵＳＢ機器が、平面視で第１筐体の側方へ突出しにくくなるため、ユーザがＵＳＢ機器に衝突して破損する危険性を抑制できるとともに、ＵＳＢ機器を着脱するスペースが確保される。また、ＵＳＢポートが排出トレイより上方に配置されることにより、ユーザはＵＳＢポートを視認しやすい。さらに、差し込まれたＵＳＢ機器の少なくとも一部が操作パネルのシート排出方向下流側端部と第２筐体のシート排出方向下流側端部との間に位置するようにＵＳＢポートが配置されることにより、ＵＳＢポートの視認性を確保しながら、ユーザがＵＳＢ機器に衝突して破損する危険性を抑制できる。よって、従来にない新規な構成の画像形成装置を提供することができる。
【図面の簡単な説明】
【０００８】
【図１】一実施形態の画像形成装置の斜視図である。
【図２】一実施形態の画像形成装置の正面図である。
【図３】一実施形態の画像形成装置の平面図である。
【図４】一実施形態の画像形成装置の右側面図である。
【図５】図３のＡ−Ａ断面拡大図であって排出ストッパが使用位置にある状態を示す図である。
【図６】変形例１の画像形成装置の斜視図である。
【図７】変形例１の画像形成装置の正面図である。
【図８】変形例１の画像形成装置の平面図である。
【図９】変形例２の画像形成装置の斜視図である。
【発明を実施するための形態】
【０００９】
以下の説明では、図１に示すように画像形成装置１が使用可能に設置された状態を基準とし、シートトレイ２７が引き出される側を前、その反対側を後とし、画像形成装置１を前側から見て左右方向を規定し、さらに画像形成装置１の第２筐体３側を上、第１筐体２側を下とし、各方向を定める。本実施形態において、左右方向は排出ローラ２８のシート排出方向と直交する幅方向の一例である。
【００１０】
［画像形成装置の全体構成］
図１は本発明の一実施形態の画像形成装置１の斜視図、図２はその正面図、図３はその平面図、図４はその右側面図、図５は図３のＡ−Ａ断面拡大図であって排出ストッパ６２が使用位置にある状態を示す図である。画像形成装置１は、いわゆる胴内排出型と呼ばれる形態を有する。画像形成装置１は、第１筐体２と、第２筐体３と、脚部４と、操作パネル５とを備えている。
【００１１】
第１筐体２は、外観を構成する略直方体形状のカバー２０を有している。カバー２０は、前面２１と、背面２２と、左面２３と、右面２４と、上面２５と、底面２６とを有する。前面２１の下部にはシートトレイ２７を挿抜するための開口部２１１が形成されている。
【００１２】
第１筐体２には、画像形成前のシートを支持するシートトレイ２７と、シートトレイ２７からシートを搬送する搬送機構と、搬送機構によって搬送されてきたシートに画像を形成する画像形成部と、画像形成部から第１筐体２外へシートを搬送する排出機構とが収容されている。排出機構の搬送方向の最下流部には、シートを排出する排出ローラ２８が設けられている。
【００１３】
シートトレイ２７は、開口部２１１を介して第１筐体２に収容される収容位置（図１に示す位置）と開口部２１１を介して第１筐体２から前方へ引き出される引出位置との間でスライド可能である。画像形成部の構成には特に限定はなく、電子写真方式、インクジェット方式、サーマルヘッド方式などの構成を用いることができる。
【００１４】
また、第１筐体２の上面２５には排出機構によって排出されるシートを支持する排出トレイ６が設けられている。排出トレイ６は第１筐体２の上面２５に後側から前側に向かって凸状に湾曲しつつ登るように傾斜した形状に形成されている。これにより、画像が形成されたシートは、排出機構によって後側から前側に向かって排出トレイ６に排出される。
【００１５】
排出トレイ６は、排出トレイ６における幅方向の中央部に設けられた突出部６１と、突出部６１に設けられた排出ストッパ６２とを有している。突出部６１は、排出トレイ６の他の面よりも上方へ突出し、後方へ向かって下方に傾斜した台状部材である。排出ストッパ６２は、後端部が突出部６１に回動可能に支持された略矩形の板状部材である。排出ストッパ６２は、突出部６１の上端部に沿って水平に位置する収納位置（図４に示す位置）と、前端部が立ち上がった使用位置（図５に示す位置）との間で揺動する。排出ストッパ６２が使用位置にあるとき、排出トレイ６に排出されたシートは排出ストッパ６２に当接して排出トレイ６上に規制される。
【００１６】
このような突出部６１により、排出されたシートの幅方向の両端部が持ち上がるようにカールしている場合でも、シートの幅方向の中央部が持ち上げられて支持されることによって、カールを軽減することができる。また、シートが排出トレイ６に支持されている状態において、シート下の突出部６１の周辺にシートを掴むための空間を形成することができる。なお、突出部６１は必須の構成ではなく、省略することもできる。
【００１７】
また、第１筐体２の上面２５には画像形成装置１の電源スイッチ２９が設けられている。電源スイッチ２９は、視認しやすく操作しやすいように、第１筐体２の上面２５における排出ストッパ６２よりも前側であって、幅方向において排出トレイ６の幅外に配置することが好ましい。本実施形態において電源スイッチ２９は、第１筐体２の上面２５における右前部分に設けられている。
【００１８】
第２筐体３は、第１筐体２の上方に設けられ、原稿読取装置３１を備えている。原稿読取装置３１は、原稿を支持する原稿台３２１が上面に設けられ、原稿台３２１に支持された原稿の画像を読み取る画像読取部を収容する筐体３２を有している。また、原稿読取装置３１は、筐体３２の上方に設けられ、後端部に配置された回動軸心を中心に前端部が原稿台３２１を覆う閉位置と原稿台３２１を開放する開位置との間で揺動可能な原稿押さえ３３を有している。原稿押さえ３３は、その上部に、原稿を原稿台３２１に自動搬送する自動原稿送り装置（以下、ＡＤＦ（ａｕｔｏ  ｄｏｃｕｍｅｎｔ  ｆｅｅｄｅｒ）と記す）３４を備えている。
【００１９】
脚部４は、左脚部４１と、右脚部４２と、後脚部４３とを有している。左脚部４１、右脚部４２、後脚部４３は、それぞれ第１筐体２の上面において、左端部、右端部、後端部に配置され、第２筐体３を持ち上げて支持する。これにより、第２筐体３は排出トレイ６の上方にシートが排出される排出空間６３を介して設置される。また、左脚部４１と右脚部４２と第１筐体２の上面と第２筐体３の下面とによって画像形成装置１の前面側に開口部４４が形成され、開口部４４を通じて排出空間６３が前方に開放されている。よって、ユーザは開口部４４を通じて排出トレイ６に排出されたシートを取り出すことができる。
【００２０】
本実施形態において、右脚部４２の前端面４２Ａは、第２筐体３の前端面３Ａよりも後側に配置されている。これにより、排出空間６３の右側が大きく開放され、排出トレイ６に排出されたシートを右側から取り出しやすくなる。
【００２１】
操作パネル５は、略直方体形状のパネルであり、幅方向の長さが第２筐体３の幅方向の長さの半分以下である。操作パネル５は、左端部が第２筐体３の左端部と面一となるように、第２筐体３の前端面３Ａから前方へ突出して設けられる。なお、操作パネル５は、第２筐体３において排出ローラ２８よりもシート排出方向下流側に設けられれば、その配置には特に限定はない。操作パネル５は、上面５１に液晶パネル等の表示具と画像形成部及び画像読取部を操作するためのタッチパネルや操作ボタン等の操作具とを備えている。
【００２２】
［ＵＳＢ］
図２に示すように、画像形成装置１には、ＵＳＢメモリやデジタルカメラ等のＵＳＢ機器の端子を接続するためのＵＳＢポート８１が設けられている。ＵＳＢポート８１は、排出トレイ６より上方であって、平面視したときに排出トレイ６と重なる位置に配置される。加えてＵＳＢポート８１は、差し込まれたＵＳＢ機器の少なくとも一部が操作パネル５の前端部５Ａと第２筐体３の前端面３Ａとの間に位置するように配置される。
【００２３】
本実施形態では、操作パネル５の右側近傍の第２筐体３の前端面３ＡにＵＳＢポート８１が設けられている。第２筐体３の前端面３ＡにおけるＵＳＢポート８１の位置には特に限定はなく、平面視したときに排出トレイ６と重なる位置であればよい。
【００２４】
第２筐体３の前端面３ＡにおけるＵＳＢポート８１近傍には、ＵＳＢマーク８２が印刷されている。ユーザは、ＵＳＢマーク８２又はＵＳＢポート８１を視認することで、ＵＳＢポート８１の位置を認識することができる。
【００２５】
このように、ＵＳＢポート８１が排出トレイ６と重なる位置に配置されることにより、ＵＳＢポート８１に差し込まれたＵＳＢ機器が、平面視で第１筐体２の側方へ突出しにくくなるため、ユーザがＵＳＢ機器に衝突して破損する危険性を抑制できるとともに、ＵＳＢ機器を着脱するスペースが確保される。また、ＵＳＢポート８１が排出トレイ６より上方に配置されることにより、ユーザはＵＳＢポート８１を視認しやすい。
【００２６】
さらに、差し込まれたＵＳＢ機器の少なくとも一部が操作パネル５の前端部５Ａと第２筐体３の前端面３Ａとの間に位置するようにＵＳＢポート８１が配置されることにより、ＵＳＢポート８１の視認性を確保しながら、ユーザがＵＳＢ機器に衝突して破損する危険性を抑制できる。また、第２筐体３の前端面３ＡにＵＳＢポート８１が設けられることにより、ＵＳＢポート８１がユーザと対向するため、ユーザはＵＳＢポート８１を視認しやすく、ＵＳＢ機器を着脱しやすい。よって、従来にない新規な構成の画像形成装置１を提供することができる。
【００２７】
ＵＳＢポート８１は、正面視したときに第２筐体３と重なる位置に配置されることが好ましい。これにより、ＵＳＢポート８１に差し込まれたＵＳＢ機器が開口部４４に突出しにくいため、ユーザは排出トレイ６からシートを取り出しやすい。本実施形態においてＵＳＢポート８１は、第２筐体３の前端面３Ａに設けられているため、正面視したときに第２筐体３と重なる位置となる。
【００２８】
ＵＳＢ基板８０は、第２筐体３内部に設けられる。ＵＳＢ基板８０は、略矩形の板状の回路基板であり、ＵＳＢポート８１及び変換回路を搭載している。ＵＳＢポート８１は、ＵＳＢ基板８０の上面において前方へ突出するように配置されている。変換回路は、ＵＳＢポート８１の信号線を所定のピッチに変換する回路である。
【００２９】
［ＮＦＣ］
図３に示すように、第１筐体２の上面２５には、ＮＦＣ機能を有するＩＣカードやスマートフォン等の外部機器を載置する位置を示すＮＦＣマーク７１が印刷されている。ＮＦＣマーク７１の大きさや形状には特に限定はない。また、ＮＦＣマーク７１は印刷以外であってもよく、例えば、透光性部材で構成し、透光性部材の直下に発光ダイオード等の光源を配置してマークが光る構成としてもよい。ユーザは、このＮＦＣマーク７１を目安にして外部機器を載置することで、外部機器と画像形成装置１との間で無線通信させることができる。
【００３０】
ＮＦＣマーク７１は、ＵＳＢポート８１よりも前側に配置される。このとき、ＮＦＣマーク７１は、画像形成装置１の幅方向においてＵＳＢポート８１と同じ側に配置することが好ましい。本実施形態では、第１筐体２の上面２５において、ＵＳＢポート８１の前方であって排出トレイ６よりも前側にＮＦＣマーク７１が配置されている。
【００３１】
この構成によれば、ＮＦＣマーク７１がＵＳＢポート８１よりも前側に配置されることにより、ＵＳＢポート８１に差し込まれたＵＳＢ機器とＮＦＣマーク７１にかざす外部機器との干渉を抑制でき、操作性に優れる。また、ＮＦＣマーク７１はユーザから見て手前側に配置されるため、ユーザはＮＦＣマーク７１に外部機器を載置しやすい。
【００３２】
また、ＮＦＣマーク７１とＵＳＢポート８１とが幅方向の同じ側に配置されることにより、ユーザは同じ方向を確認するだけでＮＦＣマーク７１とＵＳＢポート８１の両方を確認することができ、視認しやすい。また、第１筐体２の上面２５における排出トレイ６以外の領域にＮＦＣマーク７１を配置することにより、ＮＦＣマーク７１は排出されたシートに覆われることがないため、常にＮＦＣマーク７１の視認性が確保される。
【００３３】
ＮＦＣ基板７０は、外部機器との良好な無線通信を実現するために、第１筐体２内部のＮＦＣマーク７１と対向する位置に設けられる。本実施形態では、ＮＦＣマーク７１の直下であるカバー２０の上面２５の内側に沿ってＮＦＣ基板７０が配置される。ＮＦＣ基板７０は、略矩形の板状の回路基板であり、ループアンテナ７２をはじめ通信回路や検出回路等を搭載している。
【００３４】
ループアンテナ７２は、ＮＦＣマーク７１の直下に位置するようにＮＦＣ基板７０の上面に配置される。ループアンテナ７２は、外部機器と通信するための電波を送受信する機能を有する。通信回路は、送受信される電波を信号処理する機能を有する。検出回路は、ループアンテナ７２に流れる電流を検出することにより、ループアンテナ７２にて送受信される電波の強度を検出する機能を有する。
【００３５】
［変形例１］
図６は変形例１の画像形成装置９の正面図、図７はその平面図、図８はその右側面図である。変形例１の画像形成装置９が上記の画像形成装置１と異なる点は、ＵＳＢポート９１、ＵＳＢマーク９２、ＵＳＢ基板９３、ＮＦＣマーク９４及びＮＦＣ基板９５の位置であり、その他の構成は上記の画像形成装置１と同様である。以下の変形例１及び変形例２の説明では、主に上記の画像形成装置１と異なる点について説明し、上記の画像形成装置１と同様の構成については同符号を付し、その詳細な説明を省略する。
【００３６】
ＵＳＢポート９１は、操作パネル５において、上記のＵＳＢポート８１と同条件を満たす位置に設けられる。図６では操作パネル５の右面５２にＵＳＢポート９１が設けられている。操作パネル５の右面５２におけるＵＳＢポート９１近傍には、ＵＳＢマーク９２が設けられている。ＵＳＢ基板９３は、上記のＵＳＢ基板８０と同構成であり、操作パネル５内部に設けられる。
【００３７】
このように、ＵＳＢポート９１を操作パネル５に設けることにより、上記の画像形成装置１と同様の効果に加えて、ユーザは同じ方向を確認するだけで操作パネル５とＵＳＢポート９１の両方を確認することができ、視認しやすい。また、ＵＳＢポート９１を操作パネル５の幅方向の側面に設けることにより、ＵＳＢポート９１の視認性と操作パネル５の操作性とを両立させることができる。
【００３８】
ＮＦＣマーク９４は、上記のＮＦＣマーク７１と同条件を満たす位置に設けられる。図６及び図７では、第１筐体２の上面２５における左脚部４１の前方にＮＦＣマーク９４が設けられている。ＮＦＣ基板９５は、上記のＮＦＣ基板７０と同構成であり、第１筐体２内部のＮＦＣマーク９４と対向する位置に設けられる。
【００３９】
このように、ＮＦＣマーク９４を第１筐体２の上面２５における左脚部４１の前方に設けることにより、上記の画像形成装置１と同様の効果に加えて、ユーザは同じ方向を確認するだけで操作パネル５とＮＦＣマーク９４の両方を確認することができ、視認しやすい。
【００４０】
［変形例２］
図９は変形例２の画像形成装置１０の斜視図である。変形例２の画像形成装置１０が変形例１の画像形成装置９と異なる点は、ＮＦＣマーク１０１及びＮＦＣ基板１０２の位置であり、その他の構成は変形例１の画像形成装置９と同様である。
【００４１】
ＮＦＣマーク１０１は、操作パネル５において、上記のＮＦＣマーク７１と同条件を満たす位置に設けられる。図９では操作パネル５の上面５１における前端部５Ａ近傍にＮＦＣマーク１０１が設けられている。ＮＦＣ基板１０２は、上記のＮＦＣ基板７０と同構成であり、操作パネル５内部のＮＦＣマーク１０１と対向する位置に設けられる。
【００４２】
変形例２の構成によれば、変形例１と同様の効果が得られる。加えて、操作パネル５の上面５１がユーザに対峙するため、ＮＦＣマーク１０１を操作パネル５の上面５１における前端部５Ａ近傍に設けることにより、ユーザはＮＦＣマーク１０１を視認しやすく、外部機器をＮＦＣマーク１０１に載置しやすい。
【００４３】
［実施形態の効果］
上記の画像形成装置１は、排出ローラ２８によって排出されたシートを支持する排出トレイ６が上面２５に設けられ、シートに画像を形成する画像形成部を収容する第１筐体２を備える。また画像形成装置１は、第１筐体２の上方に設けられ、原稿の画像を読み取る画像読取部を収容する第２筐体３を備える。また画像形成装置１は、第１筐体２の上面に第２筐体３を持ち上げて支持するように設けられ、排出トレイ６に排出されたシートを取り出すための開口部の一部を形成する脚部４を備える。また画像形成装置１は、第２筐体３において排出ローラ２８よりもシート排出方向下流側に設けられ、画像形成部及び画像読取部を操作するための操作パネル５を備える。また画像形成装置１は、外部のＵＳＢ機器を差し込み可能なＵＳＢポート８１を備える。そして、ＵＳＢポート８１は、排出トレイ６より上方であって、平面視したときに排出トレイ６と重なる位置に配置されるとともに、差し込まれたＵＳＢ機器の少なくとも一部が操作パネル５のシート排出方向下流側端部と第２筐体３のシート排出方向下流側端部との間に位置するように配置される。
【００４４】
この構成によれば、ＵＳＢポート８１が排出トレイ６と重なる位置に配置されることにより、ＵＳＢポート８１に差し込まれたＵＳＢ機器が、平面視で第１筐体２の側方へ突出しにくくなるため、ユーザがＵＳＢ機器に衝突して破損する危険性を抑制できるとともに、ＵＳＢ機器を着脱するスペースが確保される。また、ＵＳＢポート８１が排出トレイ６より上方に配置されることにより、ユーザはＵＳＢポート８１を視認しやすい。さらに、差し込まれたＵＳＢ機器の少なくとも一部が操作パネル５のシート排出方向下流側端部と第２筐体３のシート排出方向下流側端部との間に位置するようにＵＳＢポート８１が配置されることにより、ＵＳＢポート８１の視認性を確保しながら、ユーザがＵＳＢ機器に衝突して破損する危険性を抑制できる。よって、従来にない新規な構成の画像形成装置を提供することができる。
【００４５】
上記の画像形成装置１によれば、ＵＳＢポート８１は、正面視したときに第２筐体３と重なる位置に配置される。
【００４６】
この構成によれば、ＵＳＢポート８１に差し込まれたＵＳＢ機器がシートを取り出すための開口部４４に突出しにくいため、ユーザは排出トレイ６からシートを取り出しやすい。
【００４７】
上記の画像形成装置１によれば、ＵＳＢポート８１は、第２筐体３のシート排出方向下流側端面に設けられる。
【００４８】
この構成によれば、ＵＳＢポート８１がユーザと対向するため、ユーザはＵＳＢポート８１を視認しやすく、ＵＳＢ機器を着脱しやすい。
【００４９】
上記の画像形成装置９によれば、ＵＳＢポート９１は、操作パネル５に設けられる。
【００５０】
この構成によれば、ユーザは同じ方向を確認するだけで操作パネル５とＵＳＢポート９１の両方を確認することができ、視認しやすい。
【００５１】
上記の画像形成装置９によれば、ＵＳＢポート９１は、操作パネル５におけるシート排出方向と直交する幅方向の側面に設けられる。
【００５２】
この構成によれば、ＵＳＢポート９１の視認性と操作パネル５の操作性とを両立させることができる。
【００５３】
上記の画像形成装置１によれば、ＵＳＢポート８１よりもシート排出方向下流側に、近距離無線通信を行う外部機器を載置する位置を示すＮＦＣマーク７１が設けられる。
【００５４】
この構成によれば、ＵＳＢポート８１に差し込まれたＵＳＢ機器と近距離無線通信のＮＦＣマーク７１にかざす外部機器との干渉を抑制でき、操作性に優れる。また、ＮＦＣマーク７１はユーザから見て手前側に配置されるため、ユーザはＮＦＣマーク７１に外部機器を載置しやすい。
【００５５】
上記の画像形成装置１によれば、ＮＦＣマーク７１は、シート排出方向と直交する幅方向においてＵＳＢポート８１と同じ側に配置される。
【００５６】
この構成によれば、ＮＦＣマーク７１とＵＳＢポート８１とが幅方向の同じ側に配置されることにより、ユーザは同じ方向を確認するだけでＮＦＣマーク７１とＵＳＢポート８１の両方を確認することができ、視認しやすい。
【００５７】
上記の画像形成装置１によれば、近距離無線通信のためのＮＦＣ基板７０が、ＮＦＣマーク７１と対向する位置に設けられる。
【００５８】
この構成によれば、近距離無線通信のＮＦＣマーク７１の近傍にＮＦＣ基板７０を配置することで、良好な無線通信を実現することができる。
【符号の説明】
【００５９】
１、９、１０  画像形成装置
２          第１筐体
３          第２筐体
４          脚部
５          操作パネル
６          排出トレイ
２８        排出ローラ
４４        開口部
７０        ＮＦＣ基板
７１、９４、１０１  ＮＦＣマーク（マーク）
８１、９１  ＵＳＢポート
【図１】
2020138475.tif 000003
【図２】
2020138475.tif 000004
【図３】
2020138475.tif 000005
【図４】
2020138475.tif 000006
【図５】
2020138475.tif 000007
【図６】
2020138475.tif 000008
【図７】
2020138475.tif 000009
【図８】
2020138475.tif 000010
【図９】
2020138475.tif 000011